(57)【要約】様々な例示的実施形態では、毛髪状態検出装置および毛髪状態情報を提供する方法が提供され得る。前記装置は、ユーザーの毛髪が第１領域と第２領域との間で移動できるように構成された第１領域および第２領域を含み、第１領域には、毛髪状態情報として光源の光を検出するための少なくとも１つの光学センサーが配置され、第２領域は少なくとも１つのキャリヤーを含み、第１領域および第２領域は、少なくとも１つの前記センサーのセンサー主測定方向が前記キャリヤーの表面に対して所定の角度に向けられるように、第１領域と第２領域とが互いに向き合うように、接続要素によって結合されている。【選択図】図２
2021505354.tif 000002
【特許請求の範囲】
【請求項１】
ユーザーの毛髪が第１領域（Ａ）と第２領域（Ｂ）との間を移動できるように構成された第１領域（Ａ）および第２領域（Ｂ）を含み、
ここで、第１領域（Ａ）には、毛髪状態情報として光源（２）からの光を検出するための少なくとも１つの光学センサー（１）が配置され、
第２領域（Ｂ）は、少なくとも１つのキャリヤー（３）を含み、
前記少なくとも１つのセンサー（１）のセンサー主測定方向が前記キャリヤー（３）の表面に対して所定の角度に向けられるように、第１領域（Ａ）と第２領域（Ｂ）とが互いに向き合うように、第１領域（Ａ）および第２領域（Ｂ）が接続要素（４）によって結合されている、
毛髪状態情報を提供するための毛髪状態検出装置。
【請求項２】
接続要素（４）は弾性材料を含む、請求項１に記載の装置。
【請求項３】
接続要素（４）はＵ字形状を示し、第１領域（Ａ）および第２領域（Ｂ）がそれぞれ前記Ｕ字形状の端部領域（Ｃ）に配置された、請求項１または２に記載の装置。
【請求項４】
少なくとも１つの較正媒体（５）は、第１領域（Ａ）に面するキャリヤー（３）の表面の領域に配置され、ここで、前記較正媒体（５）が、前記装置の少なくとも前記センサー（１）を較正するように構成されている、請求項１〜３のいずれかに記載の装置。
【請求項５】
較正媒体（５）は、セラミック材料を含む、またはセラミック材料である、請求項４に記載の装置。
【請求項６】
第１領域（Ａ）は、吸収または反射によって、ユーザーの髪色および／またはＵＶ光による毛髪の損傷を検出するためのカラーセンサー（１ａ）およびユーザーの毛髪の損傷度合いを検出するための毛髪状態センサー（１ｂ）を含み、
ここで、前記カラーセンサー（１ａ）はユーザーの髪色を１回目に検出し、毛髪状態センサー（１ｂ）はユーザーの毛髪の損傷度合いを２回目に検出し、前記１回目および前記２回目は所定の時間範囲内にある、
請求項１〜５のいずれかに記載の装置。
【請求項７】
第１領域（Ａ）または第２領域（Ｂ）は、加速度センサー（６）をさらに含む、請求項１〜６のいずれかに記載の装置。
【請求項８】
前記加速度センサー（６）は、空間における前記装置の運動状態を検出するように構成されている、請求項７に記載の装置。
【請求項９】
電子回路装置（７）をさらに含む、請求項１〜８のいずれかに記載の装置。
【請求項１０】
回路装置（７）は、加速度センサー（６）によって検出される前記装置の少なくとも１つの運動状態に基づく、前記装置の運転状態を制御するように少なくとも構成されている、請求項９に記載の装置。
【請求項１１】
回路装置（７）は、それぞれの検出された運動状態に基づいて、
少なくとも１つのセンサー（１）によって検出された毛髪状態情報の少なくとも１つの項目を、前記装置の記憶装置（８）または外部記憶装置（９）に保存するように、および／または
前記装置の記憶装置（８）から、または外部記憶装置（９）から、少なくとも１つの毛髪状態情報を削除するように、および／または
毛髪状態情報を外部データ処理装置（１０）に送信するように、および／または
前記装置の表示装置（１１）および／または外部データ処理装置（１０）の表示装置（１２）に、毛髪状態情報に基づく情報を表示するように、
さらに構成された、請求項１０に記載の装置。
【請求項１２】
毛髪状態検出装置によって記録されたデータおよび／または測定された毛髪状態によって、ユーザーのために個々のヘアトリートメント製品が製造される、請求項１〜１１のいずれかに記載の装置。
【請求項１３】
−請求項１〜１２のいずれかに記載の毛髪状態検出装置を、毛髪から所定の距離（Ｄ）で、ユーザーの毛髪の領域に沿って動かすこと；
−少なくとも１つの光源（２）によって、毛髪を照らすこと；
−照明中に、毛髪（Ｈ）と相互作用した光の一部を、少なくとも１つの第１センサー（１ａ）によって検出すること；
−第２センサー（１ｂ）によって、少なくとも１つの毛髪の損傷度合いを検出すること；
−毛髪状態検出装置が空間内を動いている間に、加速度センサー（６）によって、少なくとも１つの運動パターンを検出すること；および
−電子回路装置（７）によって、検出された運動パターンに基づく少なくとも１つの検出された毛髪状態情報を処理すること；
を含む、毛髪状態の情報を提供する方法。
【請求項１４】
前記処理は、以下：
−第１運動パターンが検出されると、少なくとも１つのセンサー（１）によって検出された毛髪状態情報を記憶装置（８）に保存すること；
−第２運動パターンが検出されると、記憶装置（８）および／または外部記憶装置（９）に保存された少なくとも１つの毛髪状態情報を削除すること；
−第３運動パターンが検出されると、毛髪状態情報を外部データ処理装置（１０）および／または外部記憶装置（９）に送信すること；および
−第４運動パターンが検出されると、前記装置の表示装置（１１）および／または外部データ処理装置（１０）の表示装置（１２）に、毛髪状態情報に基づく情報を表示すること；
のうちの少なくとも１つを含む、請求項１３に記載の方法。
【請求項１５】
−髪色の検出を１回目に実行すること、および
−毛髪の損傷度合いの検出を２回目に実行すること、
ここで、前記１回目および前記２回目は、所定の時間範囲内である、
をさらに含む、請求項１３または１４に記載の方法。
【発明の詳細な説明】
【技術分野】
【０００１】
本発明は、毛髪状態検出装置および毛髪状態情報を提供する方法に関する。
【背景技術】
【０００２】
日常生活の多くの分野で、例えば栄養学または健康分野だけでなく、個人向け化粧品の分野において、個人の前提条件およびニーズに具体的に応え得る個人向けプログラムに対するトレンドがある。これにより、ユーザーは自分の毛髪の個々のニーズに合わせた特定の化粧品および／またはケアの説明を見つけることができ、特に高い効果を得ることができる。
【０００３】
特に、若い美容師は、例えば、どのケア製品またはケア製品の組み合わせが損傷を受けた毛髪の治療に適切であるかなど、損傷を受けた毛髪に対処する確かな経験をまだ有していない。特に、損傷毛髪のヘアカラー体験を成功させるためにも、また損傷を受けた毛髪でも希望のカラーリング結果を得るためにヘアカラー製品をどのように混合する必要があるかを知るためにも、多くの経験が必要である。
【発明の概要】
【発明が解決しようとする課題】
【０００４】
毛髪を化粧品で処理する場合、その製品の効果、例えば着色強度、ケア製品の効果またはパーマネントウェーブの毛髪の再形成効果は、毛髪状態、特に毛髪の損傷度合いに強く依存する。
【０００５】
したがって、髪色および毛髪の損傷度合いを正確に測定することは非常に重要であり、ユーザーが自分の毛髪の健康を（客観的に）評価するための重要なパラメーターを表し得る。
【０００６】
健康に、および毛髪をよくケアをしたい多くの人にとって、毛髪の水分量は重要な毛髪のパラメーターである。
【０００７】
さらに、特に人の生きている毛髪について、非破壊測定を可能にする毛髪状態情報を取得するための装置が必要とされている。
【０００８】
さらに、ユーザーが片手で直感的に制御でき、ユーザーが装置で毛髪状態情報を記録することを容易にする、毛髪状態情報を記録するための装置が必要とされている。
【０００９】
さらに、毛髪状態情報の取得のために使用される少なくとも１つのセンサーのシンプルかつ高速の較正を可能にする、毛髪状態情報を取得するための装置が必要とされている。
【課題を解決するための手段】
【００１０】
毛髪の損傷は、自然または人工のプロセスによって引き起こされる可能性がある。最も重要な種類の損傷は、酸化的損傷である可能性がある。
【００１１】
自然プロセスは、例えば、毛髪にＵＶ光および酸素（Ｏ２）が（例えば、同時に）組み合わされた効果を有し得る。
【００１２】
人工プロセスは、例えば、染毛（着色としても知られ、漂白を含む）の適用、および／または毛髪のスタイリングまたは再形成（例えば、パーマの作成）を含み得る。
【００１３】
例えば酸化剤を使用する場合、髪を明るくするなどの所望の化粧効果に加えて、毛髪がひどく損傷する可能性がある。
【００１４】
例えば、損傷を受けた毛髪のシステイン酸含有量は、毛髪中に非常に豊富にある、アミノ酸であるシスチンおよびシステインのシステイン酸への酸化により増加する可能性がある。
【００１５】
シスチン／システインのシステイン酸への酸化は、毛髪の機械的安定性を破壊し、数回使用すると完全な毛髪の破壊につながる可能性さえある。しかし、例えば触覚、毛髪特性、例えば表面性状、例えば表面粗さを肉眼で認知できることは、この前でも悪影響を受ける可能性がある。例えば、損傷を受けた毛髪は、損傷を受けていない毛髪よりも表面粗さが高くなることがある。
【００１６】
化粧処理の結果は、髪色（特にカラーリングの場合）、毛髪構造（特にパーマ、矯正などのスタイリングの場合）、含水率（ケア製品の場合）など、処理した毛髪の他の特性に依存する場合がある。
【００１７】
様々な例示的実施形態では、少なくとも１つの光学センサーによってユーザーの毛髪状態の測定を可能にする毛髪状態検出装置が提供される。毛髪状態の測定は、毛髪状態検出装置によって、毛髪をブラッシングまたはピックアップする間に、種々の例示的実施形態において実行されてもよい、すなわち毛髪状態検出装置は、毛髪のガイドオプションが実現され得るようにセットアップされてよい。
【００１８】
様々な例示的実施形態では、毛髪サンプルに沿って行われる連続測定は、時間軸にわたる状態および発達を測定するために、例えば、損傷または変化の領域を測定するために使用されてよい。
【００１９】
種々の例示的実施形態では、測定された毛髪状態に基づくおすすめ（recommendation）が提供され得、例えば美容ヘアトリートメント製品に関しては、ヘアトリートメント製品の組成および／またはヘアトリートメントのおすすめが提供され得る。
【００２０】
様々な例示的実施形態では、本明細書に記載される毛髪状態検出装置および方法は、「スマートサロン」システムの一部として提供されてもよく、これは、複数のインテリジェントスマートデバイスを含む全体的なシステムであり、これは、ユーザーの毛髪状態および／または望ましい髪色を改善するための少なくとも１つのヘアトリートメント製品を提供するための識別とアドバイスを提供する。
【００２１】
光学センサーは、本明細書では、光学要素によって、可視光および不可視光の波長範囲で電磁放射、広義には、短波放射（ＵＶ光）、可視光（ＶＩＳとも略される）、近赤外線（ＮＩＲ）および／または赤外線（ＩＲ）などの長波放射を行い、検出器（例えば、可視光用、ＮＩＲおよび／またはＩＲ光用の電子検出器、光度計など）によって、特に赤外線の分光法に基づいて、検出、記録、分析、さらに処理するセンサーであると理解される。
【００２２】
この文脈において、例えば、センサーとデータ処理装置との間のデータ送信、センサーのセットアップなどに関して、「センサー」を参照することができる。これは、センサーが装置本体の中または上に配置されたセンサーおよび／またはセンサー回路セット、例えば光学センサーセット（例えば分光計、カメラ、顕微鏡）、マイクロホン、速度センサー回路など、または、これが文脈から明らかな場合、前記センサーおよび／またはセンサー回路の一部を含んでもよいことを意味すると理解されるべきである。
【００２３】
様々な例示的実施形態では、光学センサーは、毛髪の損傷および／または水分含量を検出するようにセットアップされ得る近赤外線（ＮＩＲ）センサー、例えばＮＩＲ分光計またはＮＩＲカメラであってよい。
【００２４】
様々な例示的実施形態では、検出は、吸収、反射、および分光によって実行してよく、それによって実行されるそれぞれの方法は、例えば、分光法評価の複雑さを正当化するために、モバイルまたはポータブルのデータ処理装置によって評価してよく、および／またはネットワークソフトウェア（クラウド）によって評価してもよい。
【００２５】
様々な例示的実施形態では、毛髪状態検出装置は、後述の分光計において取り付けられているように、少なくとも１つの（Ｎ）ＩＲ分光計および／または１つの（Ｎ）ＩＲ／ＶＩＳ分光計を含んでよい。
【００２６】
様々な例示的実施形態では、例えば、Ｖｉａｖｉ  Ｓｏｌｕｔｉｏｎｓ  Ｉｎｃ．による「ＭｉｃｒｏＮＩＲ  ＯｎＳｉｔｅ」は、様々な例示的実施形態において適切な分光計として提供されてもよく、前記分光計は、約０．１０ｓ（秒）〜約５秒の範囲、例えば、約１秒〜約３秒、例えば、約２秒の範囲の測定期間で、測定を検出および／または決定してよく、ほぼリアルタイムで、消費者の毛髪の近赤外線および／または赤外線スペクトルの少なくとも１つを記録する。様々な例示的実施形態では、分光計は、少なくとも１つの統合真空タングステンランプおよび１２８ピクセルのＩｎＧａＡｓフォトダイオードアレイを含んでよい。様々な例示的実施形態では、「ＭｉｃｒｏＮＩＲ  ＯｎＳｉｔｅ」は、約６０６０ｃｍ−１〜約１０５２６ｃｍ−１の波長範囲で動作し得る。
【００２７】
様々な例示的実施形態では、Ｂ＆Ｗ  Ｔｅｋによる分光計「ｉ−Ｓｐｅｃ  Ｎａｎｏ」を使用してよい。様々な例示的実施形態では、前記分光計は光源を含み、約４５４５ｃｍ−１〜約７６９２ｃｍ−１の波長範囲で動作し得る。
【００２８】
様々な例示的実施形態では、ＡＳＤ  Ｉｎｃ．によるＮＩＲ／ＶＩＳ分光計「ＱｕａｌｉｔｙＳｐｅｃ  Ｔｒｅｋ」を使用してもよく、様々な例示的実施形態では、前記分光計は、約２８５７１ｃｍ−１〜約４００ｃｍ−１（３５０〜２５００ｎｍ）の波長範囲で動作し得る。
【００２９】
様々な例示的実施形態では、分光計は「Ｃｏｎｓｕｍｅｒ  ＰｈｙｓｉｃｓによるＳＣｉＯ」であってもよい。前記分光計は、約９０９０ｃｍ−１〜約１４２８５ｃｍ−１（７００〜１１００ｎｍ）のＮＩＲ波長の短波範囲で動作し得る。
【００３０】
様々な例示的実施形態では、Ａｔｔｏｎｉｃｓ  Ｓｙｓｔｅｍｓの分光計を使用してもよく、前記分光計は、約９０９０ｃｍ−１〜約２６，３１５ｃｍ−１（ＶＩＳ−ＮＩＲ）または約３３３３ｃｍ−１〜約１０，０００ｃｍ−１（ＮＩＲ）の波長範囲で動作し得る。様々な例示的実施形態では、前記分光計は干渉計に基づき、高い光スループットおよび高いスペクトル分解能（ＶＩＳ−ＮＩＲ分光計の場合は５ｎｍ未満、ＮＩＲ分光計の場合は２０ｎｍより大きい）を提供し得る。様々な例示的実施形態では、前記分光計は、多相シフトアレイ（ＭＰＡ）チップおよび円形管内に光学セットアップを含んでよい。
【００３１】
様々な例示的実施形態では、Ｏｃｅａｎ  Ｏｐｔｉｃｓによる小型分光計「ＵＳＢ２０００−ＶＩＳ−ＮＩＲ」または「ＵＳＢ４０００−ＶＩＳ−ＮＩＲ」を使用してよい。様々な例示的実施形態では、前記分光計は、約３５０ｎｍ〜約１０００ｎｍの波長範囲で動作し得る。
【００３２】
様々な例示的実施形態では、Ｔｅｘａｓ  ＩｎｓｔｒｕｍｅｎｔｓによるＮＩＲ評価モジュール「ＤＬＰ（登録商標）ＮＩＲスキャン」または「ＤＬＰ（登録商標）ＮＩＲスキャンナノ」を使用してよい。様々な例示的実施形態では、前記評価モジュールは、検出器として２つのタングステンランプおよびＩｎＧａＡｓフォトダイオードを含む。様々な例示的実施形態では、「ＤＬＰ（登録商標）ＮＩＲスキャン」モジュールは、約４０１６ｃｍ−１〜約７４０７ｃｍ−１の波長範囲で動作し得、「ＤＬＰ（登録商標）ＮＩＲスキャンナノ」モジュールは、約５８８２ｃｍ−１〜約１１，１１１ｃｍ−１の波長範囲で動作し得る。
【００３３】
様々な例示的実施形態では、Ｓｉ−Ｗａｒｅ  Ｓｙｓｔｅｍｓによる「ＮｅｏＳｐｅｃｔｒａ」、例えばＮｅｏＳｐｅｃｔｒａ  ＳＷ６２２２１−１．７センサー、ＮｅｏＳｐｅｃｔｒａ  ＳＷ６２２２１−２．１センサーおよびＮｅｏＳｐｅｃｔｒａ  ＳＷ６２２２１−２．５センサーなどを、さらに適切なＮＩＲセンサーとして使用してよく、これは種々の波長範囲で動作し得る。
【００３４】
様々な例示的実施形態では、光学センサーは、可視光用のセンサー、例えば可視光のスペクトル範囲、特に毛髪が蛍光を発する範囲の分光計またはカメラであってよい。前記光学センサーは毛髪の損傷を検出するようにセットアップされてよい。
【００３５】
様々な例示的実施形態では、可視光用の光学センサーまたは可視光用のさらなるセンサー、例えば分光計またはカラーカメラをセットアップして、ユーザーの当初の髪色を測定してよい。カメラ（または追加のカメラ）が提供される場合、それはまた、毛髪密度を測定するために使用してもよい。
【００３６】
毛髪の損傷を検出するための光学センサー（ＮＩＲまたは蛍光灯）が、毛髪状態検出装置内に設けられてもよい。
【００３７】
様々な例示的実施形態では、上述のセンサーのいくつかを組み合わせて使用し、毛髪状態のより包括的な画像を取得してもよい。２つ以上の毛髪状態パラメーターの検出は、２次元または多次元の測定として理解されてよく、これは毛髪状態に関する分析結果を改善するために使用され得る。
【００３８】
様々な例示的実施形態では、毛髪状態検出装置は、例えばおすすめ製品および／またはヘアトリートメントがユーザーの毛髪で所望の結果を達成するのに適するように、ヘアトリートメント製品のおすすめを決定するときに所望の結果を考慮に入れてよい。
【００３９】
様々な例示的実施形態では、別の従来の入力装置、例えばキー、タッチスクリーンを、代替的または追加的に、毛髪状態検出装置上の入力装置として提供してもよい。様々な例示的実施形態では、毛髪状態検出装置は、毛髪状態情報および／またはおすすめを出力するための出力装置、例えばスピーカーおよび／またはディスプレイ、あるいはＬＥＤのような色や数字が直接表示されたり、シンボル／アイコンを照らしたりするライトインジケーターを有してもよい。
【００４０】
様々な例示的実施形態では、毛髪状態検出装置は、毛髪状態情報および／またはおすすめの出力装置として使用し得る少なくとも１つの表示装置をさらに含み得る毛髪状態測定システムの一部であってよい。
【００４１】
毛髪状態の直接的または間接的な測定のため、および該当する場合、おすすめ（例えばヘアトリートメント製品および／またはヘアトリートメントのおすすめ）の直接的または間接的な決定のために、様々な例示的実施形態における装置またはシステムは、データ処理装置を含んでよい。
【００４２】
様々な例示的実施形態において、例えば表示装置がスマートフォン、タブレットまたは類似品である場合、前記表示装置は、入力装置および／または外部データ処理装置として使用してよい。
【００４３】
様々な例示的実施形態では、類似の毛髪状態（例えば、類似の損傷度合いおよび／または類似の髪色）、およびおそらく類似のプロフィール（年齢、性別、ライフスタイル、髪のタイプなど）を有する（さらなる）ユーザーのデータおよび／または経験値を、おすすめを決定するときに考慮に入れてよい。結果を最適化するために、幅広いデータセットおよび／または経験を使用し得る。前記システムは、学習システムとして設計されてもよい。
【００４４】
様々な例示的実施形態では、毛髪状態検出装置は、例えばＮＩＲセンサーによって検出され得る現在の毛髪の損傷状態、および例えば可視光測定またはＵＶ光測定によって例えばカラーセンサーによって検出され得るユーザーの現在の髪色を、毛髪状態検出装置から、個々のヘアトリートメント製品の組成を決定し、対応するヘアトリートメント製品、例えばシャンプーまたはキュアをユーザーに提供するヘアトリートメント製品混合装置に、送信するように構成されてよい。
【００４５】
様々な例示的実施形態では、トリートメント結果の標準化された客観的な評価が、毛髪状態検出装置を使用して可能になるかもしれない。この目的のために、装置に含まれる光学センサーおよび場合によっては他のセンサーを使用して、おすすめ事項に従った後、例えばおすすめされた製品を塗布した後、および／またはおすすめされたトリートメントを実施した後の消費者の毛髪状態を測定してよい。
【００４６】
これにより、信頼性の高い毛髪の損傷値の継続的かつ必要に応じて頻繁な測定が可能になり、ユーザーまたは消費者は、毛髪の健康状態および／またはケア状態を経時的に監視し、トリートメントが成功するという信用を強めることができる。
【００４７】
様々な例示的実施形態では、システイン酸含有量を測定することにより酸化的な毛髪の損傷度合いを正確に決定するために光学センサーを使用できるように、毛髪状態検出装置をセットアップしてよい。光学センサーを、近赤外線（ＮＩＲ）範囲で１つ以上の画像を取得するようにセットアップしてよい。
【００４８】
様々な例示的実施形態では、光学センサーは、蛍光によって毛髪の損傷を測定し得るＶＩＳセンサーであってよい。
【００４９】
様々な例示的実施形態では、近赤外線範囲は、損傷した毛髪が吸収構造を有する、例えばシステイン酸が光を吸収する波長範囲であってよい。
【００５０】
損傷を受けていない毛髪は、通常、システイン酸を約０．５重量％〜約１重量％の範囲で含む。例えば、複数のウルトラ漂白および／または他の損傷メカニズムの結果として、損傷が存在する場合、システイン酸の含有量は１５重量％を超えることがある。
【００５１】
様々な例示的実施形態では、この特性を使用して、システイン酸含有量として毛髪の損傷度合いを定量化する。
【００５２】
様々な例示的実施形態では、損傷を受けた毛髪は、毛髪の蛍光強度を測定することによって損傷度合いを決定するために使用される、固有の蛍光を示し得る。
【００５３】
様々な例示的実施形態では、毛髪は、毛髪の蛍光強度を測定するために光源を使用して、ＵＶ光（例えば、約３１５ｎｍ〜約３８０ｎｍの波長範囲の光）に曝されてもよい。この目的のために、センサー装置はＵＶ光源を備えていてもよい。ＵＶ光源は、装置内および／または装置の第１領域内に収容されるのに十分に小さいＵＶ  ＬＥＤまたは別の適切な光源であってもよい。
【００５４】
露光中に毛髪から発せられる蛍光を登録してよい。蛍光強度は、登録された光から決定されてよい。次に、毛髪の損傷度合いは、毛髪の蛍光強度を考慮することによって測定され得る。
【００５５】
したがって、光学センサーは、少なくとも蛍光波長範囲で敏感であり得る。光学センサーは、カメラ、光度計、比色計および／または分光計を含み得るか、またはそれらであり得る。様々な例示的実施形態では、毛髪と光学センサーとの間にフィルターを配置してよい。
【００５６】
近年の技術進歩のおかげで、装置構内に収容するのに十分小さい光学センサー（可視波長範囲用、またはＮＩＲ若しくはＩＲ範囲用）を提供できるようになった。
【００５７】
様々な例示的実施形態では、例えば光学センサーの場合、例えば光学センサーの検出器および／または分光計の分散要素などの光学部品は、毛髪の近くで利用可能なものよりも多くのスペースを必要とし、少なくとも１つの光ガイド装置が提供され得る。スペースを必要とする要素（例えば、光源および/または検出器）は、より多くのスペースを提供する毛髪状態検出装置の一部に配置すればよく、少なくとも１つの光ガイド装置は、前記要素と装置構内の光の入口点または出口点との間で光（例えば、髪を照らすための光、または髪と相互作用した光）をガイドするように設計されてもよい。この目的で知られている従来の構造、例えば光ファイバー、光チャネル、ミラーおよび／または他の光学要素などを光ガイド装置として使用できる。これにより、例えば約２．５μｍまでのＮＩＲ波長範囲のＮＩＲ光の場合、使用する光透過性材料が、ガイドされる波長範囲に対して光透過性であることを確認する必要がある。
【００５８】
様々な例示的実施形態では、近赤外（ＮＩＲ）および／または赤外（ＩＲ）スペクトルは、例えば、ＡＴＲ（近）赤外分光法（「全反射減衰法」）によって得ることができる。数学モデルを適用することにより、既知の分析方法によって測定されたシステイン酸含有量を有する、較正毛髪サンプルを測定して、数学モデルを作成してよい。
【００５９】
消費者またはユーザーの毛髪が記録されたＮＩＲまたはＩＲスペクトル、またはその少なくとも一部を分析する場合、前記モデルを使用して、様々な例示的実施形態のシステイン酸含有量、したがって毛髪の損傷を計算してよい。スペクトルの少なくとも一部の分析および前記モデルの適用は、データ処理装置によって、例えば（適切なアプリを備える）既知のスマートフォン、タブレットなどを使用して実行し得る。
【００６０】
様々な例示的実施形態における光源は、毛髪をＮＩＲまたはＩＲ光に曝露するためのＮＩＲ光源または／およびＩＲ光源であってよい。
【００６１】
毛髪の損傷度合いの測定は、様々な例示的実施形態に従って、近赤外線範囲を使用すること、すなわち、毛髪に近赤外光を照射し、毛髪と相互作用した後のＮＩＲ光の少なくとも一部のスペクトル分析をすることによって実行されてもよく、または、赤外線範囲を使用することにより、すなわち、毛髪に赤外線を照射し、毛髪と相互作用した後の赤外線の少なくとも一部をスペクトル分析することによって赤外線を使用して実行されてもよく、または近赤外線と赤外線の両方の範囲を使用して、すなわち、毛髪に近赤外線および赤外線光の両方を照射し、ＮＩＲの少なくとも一部およびＩＲ光の少なくとも一部を、毛髪と相互作用した後にスペクトル分析することによって実行されてもよい。
【００６２】
様々な例示的実施形態では、測定された近赤外線（ＮＩＲ）範囲は、約１２，５００ｃｍ−１〜約４０００ｃｍ−１、例えば約５０２２ｃｍ−１〜約４０２０ｃｍ−１の波長を示し得る。この波長範囲は、特徴的な倍音、および例えばＣＨ基、ＯＨ基およびＮＨ基の組み合わせの振動を示し得る。
【００６３】
様々な例示的実施形態では、近赤外光および／または赤外光の少なくとも一部は、約１１００ｃｍ−１〜約１０００ｃｍ−１の範囲、例えば約１０４０ｃｍ−１の（赤外線）波数範囲を示し得る。とりわけ、分析される成分、システイン酸に関連する吸収帯がここにある。
【００６４】
様々な例示的実施形態では、独立した方法、例えば同じ較正毛髪サンプルに対する高圧液体クロマトグラフィーで得られたそれぞれの較正毛髪サンプルのシステイン酸含有量の値と組み合わせて、複数の較正毛髪サンプルに対し、コンピューター支援評価の結果（ケモメトリック分析とも呼ばれる）を使用して、較正モデルが作成される。
【００６５】
較正モデルが利用可能になると、様々な例示的実施形態において、（毛髪の損傷の尺度としての）システイン酸の濃度は、毛髪について記録された（Ｎ）ＩＲスペクトルを使用して、較正スペクトルと比較したスペクトルから測定される毛髪について非常に容易に計算できる。
【００６６】
様々な例示的実施形態では、予測分析の適切な数学モデルを使用して、システイン酸含有量（例えば、蛍光分析および／または（Ｎ）ＩＲ分光法による）または損傷度合いを定量化することができる。
【００６７】
様々な例示的実施形態において、使用が簡単であり、蛍光検出および／または吸収の検出によって毛髪への酸化的損傷度合いの正確な測定を可能にする方法および予測分析からの方法が提供される。
【００６８】
様々な例示的実施形態では、モバイルまたはポータブルのデータ処理装置を使用して、測定された毛髪状態またはおすすめを提供してもよい。ポータブルデータ処理装置として、スマートフォン、ｉＰａｄ（登録商標）、タブレットまたはラップトップを使用してよい。
【００６９】
様々な例示的実施形態では、例えば簡単な装置（例えばＵＶ  ＬＥＤ、白色光、ＮＩＲおよび／またはＩＲ照明装置、フィルター、ポータブルＮＩＲセンサー、ポータブル（ＮＩＲおよび／またはＶＩＳ）分光計）を使用して測定され得る簡単な画像分析方法によって、おそらくモバイルデータ処理装置（スマートフォンまたはタブレットなど）に関連して、該当する場合、ユーザーの毛髪状態に関する情報、および該当する場合、それに基づく推奨事項を提供するための予測分析方法を提供してよい。
【００７０】
様々な例示的実施形態によれば、予測分析では、予測分析は、方法の群からの少なくとも１つの方法を使用でき、前記方法の群には、線形または多重線形回帰、多項式回帰、ニューラルネットワーク法、サポートベクターマシン法、決定木法（「決定木」、「ランダムフォレスト」、「ツリーアンサンブル」）、その他の方法が含まれる。
【００７１】
加速度センサーを使用することにより、様々な例示的実施形態において、毛髪状態検出装置の位置を測定することが可能であり得る。例えば、加速度センサーを使用して、毛髪状態検出プロセスの開始および／または終了を測定することができる。毛髪状態検出プロセスが、通常は生え際で始まり、毛髪の先端で終了すると仮定すると、例えば生え際/中間領域/先端の、毛髪状態情報、髪色および関連する毛髪の損傷の空間的に解決された測定が、おそらく毛髪状態検出装置が動かされる加速度センサーによって決定される速度と組み合わせて可能であり得る。
【００７２】
本出願の文脈では、加速度計機能は、「クラシック」モーションセンサーまたはジャイロスコープセンサーをさらに含んでもよい。
【００７３】
毛髪状態検出装置から外部データ処理装置および／または外部記憶装置へのデータ送信は、ケーブルを介して、または既知の無線データ送信規格（例えばＢｌｕｅｔｏｏｔｈ、Ｂｌｕｅｔｏｏｔｈ  Ｌｏｗ  Ｅｎｅｒｇｙ（ＢＬＥ）、ＷＬＡＮ、ｗｉ−ｆｉ、ＮＦＣ）を介して、様々な例示的実施形態で行われてもよい。
【００７４】
様々な例示的実施形態において、毛髪状態情報を提供する毛髪状態検出装置は、ユーザーの毛髪が第１領域と第２領域との間を移動できるように構成された第１領域および第２領域を含んでよい。ここで、前記第１領域には、毛髪状態情報として光源の光を検出するための少なくとも１つの光学センサーが配置されており、毛髪状態検出装置は、ユーザーの毛髪が第１領域と第２領域との間で移動可能であるように構成されることを特徴とする。ここで前記第２領域は、少なくとも１つのキャリヤーを含む、また、ここで、第１領域および第２領域は、少なくとも１つのセンサーの主センサー測定方向がキャリヤー表面に対して所定の（既定義の）角度に向けられるように第１の領域と第２の領域が互いに向き合うように接続要素によって結合されている。
【００７５】
様々な例示的実施形態において、毛髪状態検出装置は、片手でユーザーが操作することができる。片手で、ユーザーは少なくとも１つの、毛髪または毛髪ストランドを露出させ、露出した髪に張力をかけた状態で毛髪を保持する。これは、顧客にとってさらに快適であり、もう一方の手で、露出した毛髪に沿って毛髪状態検出装置をガイドする。
【００７６】
様々な例示的実施形態において、ユーザーは、空間における所定の動作パターンに従って、片手で毛髪状態検出装置の少なくとも１つの動作を制御するために、例えば、測定したばかりの髪色および/または測定したばかりの毛髪の損傷度合いの保存プロセスを実行するために、例えば、検出されたばかりのおよび／または記憶装置に保存された髪色および／または毛髪の損傷度合い、および／または検出されたばかりのおよび／または記憶装置に保存された毛髪の損傷度合いの消去プロセスを実行するために、例えば、検出されたばかりのおよび／または記憶装置に保存された髪色および／または毛髪の損傷度合いを、毛髪状態検出装置から外部データ処理装置へデータ送信するプロセスを実行するために、片手で毛髪状態検出装置を動かすことができる
【００７７】
様々な例示的実施形態では、電子回路装置は、毛髪状態検出装置が長期間使用されなかったかどうかを加速度センサーによって検出し、次に毛髪状態検出装置をスタンバイモードにするようにセットアップされていてもよい。
【００７８】
様々な例示的実施形態では、電子回路装置は、毛髪状態検出装置が長期間使用されておらず、現在使用されているかどうかを加速度センサーによって検出し、次に、毛髪状態検出装置をアクティブモードに設定するように構成されていてもよい。様々な例示的実施形態では、例えば、スタンバイモードにおける毛髪状態検出装置の消費電力を低減するために、毛髪状態検出装置の動きの頻度に応じて、カラーセンサーおよび／または毛髪損傷センサーのスイッチを切ることを回路装置によって実現してもよい。
【００７９】
様々な例示的実施形態では、接続要素は、弾性材料を含んでよい。様々な例示的実施形態では、弾性材料は、力が加えられると繰り返し変形可能であり、力が取り除かれると元の初期状態に戻るという事実によって特徴付けられる。
【００８０】
様々な例示的実施形態では、接続要素は、約２ｍｍ〜約２０ｍｍの範囲の厚さまたは材料厚さを有してよい。
【００８１】
様々な例示的実施形態では、接続要素は、約５ｍｍ〜３０ｍｍの範囲の幅を有する曲がった平鋼を含んでよい。
【００８２】
様々な例示的実施形態では、接続要素は、ばね鋼、例えば、Ｘ１０ＣｒＮｉ１８−８、３８Ｓｉ７、６１ＳｉＣｒ７、５２ＣｒＭｏＶ４、５１ＣｒＶ４、Ｃ６７Ｅ／Ｃ６７Ｓ、またはそのような用途の専門家に知られている他のばね鋼を含んでよい。
【００８３】
様々な例示的実施形態では、接続要素はステンレスばね鋼を含んでよい。
【００８４】
様々な例示的実施形態では、弾性接続材料は、つや消しおよび/またはつや消しコーティング仕上げで設計してもよく、これにより、光源から発せられた光をわずかにまたは所定の範囲で反射させ、少なくとも１つのセンサーへの悪影響を最小限に抑えることができる。
【００８５】
様々な例示的実施形態では、接続要素はＵ字形状を有してよく、第１の領域および第２の領域はそれぞれＵ字形状の端部領域に配置されていてよい。
【００８６】
様々な例示的実施形態において、接続要素は、第２領域の近くにおよび／またはそれに隣接して停止制限を含んでよく、該停止制限は、接続要素が手の筋肉の力によって圧縮された場合に、キャリヤーおよび／またはセンサー前面の較正材料による過剰な力の負荷を回避できるように設計されている。
【００８７】
様々な例示的実施形態では、少なくとも１つの較正媒体は、第１領域に面するキャリヤーの表面の領域に配置されてもよく、較正媒体は、装置の少なくとも１つのセンサーを較正するように構成されてもよい。
【００８８】
様々な例示的実施形態では、装置の設計により、較正媒体を装置の一部にすることができ、したがって、少なくとも１つの較正手順に追加の較正媒体は必要ない。
【００８９】
様々な例示的実施形態において、較正媒体がすでに装置に取り付けられている可能性があり、装置がモバイルアプリケーションで使用されている場合、較正媒体が利用できないため、較正が不可能になる可能性がある。様々な例示的実施形態では、装置に物理的に接続された較正媒体が、装置が較正される任意の場所で利用可能であり、外部較正媒体が不要であることを保証することが可能であり得る。
【００９０】
様々な例示的実施形態では、較正媒体または較正媒体の表面は、較正を実行するときに、少なくとも１つのセンサーの主測定方向に対して垂直に、または所定の角度で配置されてよい。様々な例示的実施形態では、所定の角度は、約７０度〜約１１０度の範囲、例えば約８５度〜約９５度の範囲であってよい。
【００９１】
様々な例示的実施形態において、較正媒体の垂直中心軸から少なくとも１つのセンサーの垂直中心軸または縦軸までの横方向距離は、所定の範囲、例えば約２０ｍｍ〜約０ｍｍの範囲、例えば、約１０ｍｍから０ｍｍの範囲にあってもよい。
【００９２】
様々な例示的実施形態では、較正媒体は、カラーセンサーおよび／または毛髪状態センサーを較正するための基準較正媒体として使用されてもよい。
【００９３】
様々な例示的実施形態では、キャリヤーおよび／またはセラミックの材料は、光の高い反射を可能にするために、白色または白色の色合いに保たれ得る。様々な例示的実施形態では、セラミック材料またはセラミック物質は、ガラスセラミックおよび／またはリューサイト強化ガラスセラミックを含んでよい。様々な例示的実施形態では、リューサイト強化ガラスセラミックは、ガラス相およびリューサイト型結晶相を含み得る。様々な例示的実施形態では、材料は、３成分系、例えばＳｉＯ２、Ａｌ２Ｏ３およびＫ２Ｏに基づいてよい。
【００９４】
様々な例示的実施形態では、使用されるセラミック材料は、例えばＡＬＯＴＥＣ  ９２であってもよい。様々な例示的実施形態では、ＡＬＯＴＥＣ  ９２は、９２質量％以上のＡｌ２Ｏ３含有量、３．６４ｇ／ｃｍ３を超える密度、約０体積％の開気孔率、３００を超える弾性率、３２０ＭＰａを超える曲げ剛性（４点）、約１４ｍのワイブル係数、約３〜４ＭＰａｍＶ２の破壊靭性、１２ＨＶ（１）を超える硬度、７．５  １０−６Ｋ−１の熱膨張係数、約１．９μｍの「焼成時」の粗さおよび約０．３μｍの「研磨済み」の粗さで使用してよい。ただし、ＡＬＯＴＥＣ  ９２の代わりに他のセラミック材料を使用してもよいことは言うまでもない。
【００９５】
様々な例示的実施形態において、粘性ガラスから始まるガラスセラミックを製造する場合、最初にフォームを作成し、その後の焼き戻しステップ、つまりセラミックの安定性を高める方法で、以前のアモルファスボリュームを、温度変化のターゲットを絞った使用によってターゲットを絞った方法で結晶化できる。このようなシステムは、高い機械的強度および優れた耐熱衝撃性を特徴とする。様々な例示的実施形態では、較正媒体としてリューサイト強化ガラスセラミックを使用することにより、ガラスの正の光学特性とセラミックの正の機械的特性を組み合わせることが可能である。
【００９６】
様々な例示的実施形態において、ＮＩＲセンサーは、ＮＩＲセンサーが活性化された後、較正媒体を使用する較正プロセス中に較正モードにセットアップされてよい。様々な例示的実施形態では、次に、較正媒体は、ＮＩＲセンサーから所定の距離でＮＩＲセンサーに運ばれ得る。様々な例示的実施形態では、較正媒体は、ＮＩＲセンサーの較正プロセス中に、カラーセンサーおよび／またはＮＩＲセンサーの主測定表面の直前または主測定表面に対して正面に直接（directly in front of or directly against）配置してよい。様々な例示的実施形態において、次に、ＮＩＲセンサーは、赤外線源（ＩＲ源）を使用して、セラミックなどの較正媒体を照射し、反射した赤外線の反射（したがって吸収）を測定する。次に、様々な例示的実施形態では、ＮＩＲセンサーは、すべてのさらなる測定について内部較正プロファイルを生成してよい。
【００９７】
様々な例示的実施形態では、カラーセンサーは自己較正センサーを含んでよい。様々な例示的実施形態において、カラーセンサーは、場合により、較正媒体を使用して較正されてもよい。
【００９８】
様々な例示的実施形態では、カラーセンサーが活性化された後、較正媒体を使用して較正プロセス中にカラーセンサーを較正モードに設定してもよい。様々な例示的実施形態では、次に、例えばユーザーの筋力を使用して、カラーセンサー上のカラーセンサーから所定の距離に較正媒体を配置してもよい。様々な例示的実施形態では、較正媒体は、カラーセンサーの較正プロセス中に、カラーセンサーの主測定表面の直前または主測定表面に対して正面に直接配置してよい。様々な例示的実施形態では、次に、カラーセンサーは、赤外線源（ＩＲ光源）を使用して、セラミックなどの較正媒体を照射し、反射光線の反射を測定する。様々な例示的実施形態では、その後、カラーセンサーは、以降のすべての測定のために内部較正プロファイルを生成する。様々な例示的実施形態では、特に正確な測定のために光源のより良い較正のためのオプションとして、自己較正カラーセンサーの較正が必要になる場合がある。
【００９９】
様々な例示的実施形態では、装置の一部として較正媒体を使用することにより、較正手順を簡略化してもよい。
【０１００】
様々な例示的実施形態では、較正媒体またはキャリヤーはまた、消費者の毛髪が測定センサーの方向にガイドされるように、クランプ装置および／またはガイド補助具として設計されてもよい。言い換えると、様々な例示的実施形態では、キャリヤーおよび／または較正媒体は、所定の距離で、例えば、キャリヤーまたは較正媒体と少なくとも１つのセンサーとの間で約０ｍｍ〜約１０ｍｍの範囲、例えば、約２ｍｍ〜約８ｍｍの範囲、例えば、約３ｍｍの範囲で、少なくとも１つのセンサーで測定を実行できるようにするために、ユーザーの手の筋力によって少なくとも１つのセンサーに向かってガイドされてもよい。
【０１０１】
様々な例示的実施形態では、較正媒体は、セラミック材料であっても、セラミック材料を含んでいてもよい。
【０１０２】
様々な例示的実施形態では、セラミックを使用して、消費者の毛髪の背後に一定の背景を維持することが可能である場合があり、その結果、毛髪状態検出装置で再現性のあるまたは再現可能な測定が達成され得る。
【０１０３】
様々な例示的実施形態では、較正媒体は、キャリヤーに適用されるセラミックプレートであってよい。
【０１０４】
様々な例示的実施形態では、第１領域は、吸収または反射によってＵＶ光を介してユーザーの髪色および／または毛髪の損傷を検出するためのカラーセンサー、およびユーザーの毛髪状態を検出するための毛髪状態センサーを含んでよい。ここで、カラーセンサーは１回目にユーザーの髪色を検出し、毛髪状態センサーは２回目にユーザーの毛髪の損傷度合いおよび／または毛髪の水分量を検出する。ここで、前記１回目と前記２回目は所定の時間範囲内にある。
【０１０５】
様々な例示的実施形態では、第１の範囲は、触覚信号発生器（バイブレータ）をさらに含んでよい。
【０１０６】
様々な例示的実施形態では、カラーセンサーは、ユーザーの現在の髪色を検出するように構成されてもよい。
【０１０７】
様々な例示的実施形態では、カラーセンサーは、ハイエンドマルチバンドセンサー、高帯域幅のカラーセンサー、またはマルチスペクトルカラーセンサーであってよい。
【０１０８】
様々な例示的実施形態では、検出用の高帯域幅および／または拡張波スペクトルを備えるカラーセンサーをセットアップして、人間の目で知覚されるカラースペクトルに加えて追加のカラー情報を提供し、ケアおよび着色製品のさらなる分析および計算を行ってよい。
【０１０９】
様々な例示的実施形態では、例えばＣＩＥ  ＬＡＢなどの表現空間または専門家に知られている他の表現空間への変換を伴うマルチチャネルカラー測定は、カラーセンサーによって実現され得る。
【０１１０】
様々な例示的実施形態では、Ｌ＊ａ＊ｂ＊色空間は、デバイスに依存しない形式ですべての色を含有する色空間として理解される。したがって、様々な例示的実施形態において、Ｌ＊ａ＊ｂ＊色空間への色値の転送により、あるカラーシステムから別のカラーシステムへの、あるタイプの装置から別のタイプの装置への、損失のない色情報の変換が実現され得る。
【０１１１】
様々な例示的実施形態では、所定の時間範囲は、例えば、約１０ｍｓ（ミリ秒）〜約１０００ミリ秒の範囲であってもよい。様々な例示的実施形態では、１回目は約２０ミリ秒から５０ミリ秒の範囲であり、２回目は約５０ミリ秒から２５０ミリ秒の範囲であり、逆もまた同様である。様々な例示的実施形態では、測定は、毛髪状態センサーを用いて、その後すぐにカラーセンサーを用いて実行されてもよい。様々な例示的実施形態において、測定は次々と非常に密接に実行されるため、ほぼ同時に実行されてよい。
【０１１２】
様々な例示的実施形態では、第１の測定結果はカラーセンサーで処理され、第２の測定結果は毛髪状態センサーで処理され、および／または第３の測定結果は加速度センサーで少なくとも１つのサイクル、例えば、電子回路デバイスの記憶サイクルで一緒に処理される、および／または、例えば回路装置によって保存され得るデータパッケージを形成するために毛髪状態検出装置の記憶装置において、および/または外部記憶装置において、および／または無線接続による外部データ処理装置において、組み合わされてもよい。
【０１１３】
様々な例示的実施形態では、カラーセンサーは、消費者の現在の髪の色を検出するように設定されてもよい。
【０１１４】
様々な例示的実施形態では、第１領域または第２領域は、加速度センサーをさらに含んでもよい。
【０１１５】
様々な例示的実施形態では、加速度センサーという用語は、加速度計、加速度メーター、Ｂメーター、またはＧセンサーを指すことがある。
【０１１６】
様々な例示的実施形態では、加速度は、ＳＩ単位ｍ・ｓ−２（メートル毎秒の２乗）で測定または表示され得る。
【０１１７】
様々な例示的実施形態では、加速度センサーは、あるユーザーによる毛髪状態検出装置の前方移動の運動および／または速度を検出するように設定されてもよい。
【０１１８】
様々な例示的実施形態では、加速度センサーは、あるユーザーによる毛髪状態検出装置の前方移動の運動および／または速度を検出するように構成されてもよく、例えば、毛髪の様々な毛髪領域が毛髪状態検出装置によって測定される場合、毛髪に対する、例えば、毛髪の始端または毛端に対する、毛髪状態検出装置の瞬間的な位置を検出するために、および／または毛髪状態検出装置の運動方向および／または運動速度を検出するために構成されていてもよい。
【０１１９】
様々な例示的実施形態では、加速度計は、空間内の装置の運動状態を検出するように設定してもよい。様々な例示的実施形態では、他のセンサー、例えばカラーセンサーおよび毛髪状態センサーに加えて、加速度センサーを使用することにより、体の動きおよびジェスチャー制御によって毛髪状態検出装置の動作を制御することにより、毛髪状態検出装置を片手で操作することができる。
【０１２０】
様々な例示的実施形態では、加速度センサーは、所定の毛髪状態検出装置の「前後」運動、および／または旋回運動および/または「シェイク」運動および／または「シェイクアウト」運動および/または「ポイント」運動を検出するように、および/または所定の運動パターンと比較し、および／または既知の運動パターンに運動を割り当てるように設定してもよい。
【０１２１】
様々な例示的実施形態では、装置を持ち上げて該装置を充電ステーションから取り外し、次いで該装置を直立させた後、装置の垂直方向の配置を検出するように加速度センサーを設定してもよく、ここで、回路装置は、動きに対応する所定の運動パターンを決定し、装置のスイッチを入れたり、装置を起動したりするために、加速度センサーの少なくとも１つの測定結果に基づいて、測定結果を所定の既知の運動パターンと比較するように設定されている。
【０１２２】
様々な例示的実施形態では、装置が垂直に保持され、装置がシェイクされると、加速度センサーが、装置の垂直方向の配置およびシェイクを検出するように設定してもよく、ここで、回路装置は、加速度センサーの少なくとも１つの測定結果に基づいて、測定結果を所定の既知の運動パターンと比較するように、および運動に対応する所定の運動パターンを測定するように、および測定された所定の運動パターンに基づいて、新しい測定シリーズを起動または開始するように、設定されていてよい。
【０１２３】
様々な例示的実施形態では、装置がシェイクアウトされると、加速度計は、シェイク（振動）を運動パターンとして検出するように設定されていてもよく、回路装置は、加速度センサーによって検出された運動パターンに基づいて、運動パターンを所定の既知の運動パターンと比較し、その運動に対応する所定の運動パターンを測定し、測定された所定の運動パターンに基づいて、最後の測定値または最後の一連の測定値を記憶装置から、例えば毛髪状態検出装置の記憶装置から、および／または外部データ処理装置の記憶装置から、および／または外部データベースから削除するようにされていてよい。
【０１２４】
様々な例示的実施形態では、前記装置は、検出されたそれぞれの髪色および／または髪上の位置が、検出された毛髪の損傷度合いに明確に割り当てられ、記憶装置にアーカイブされるように、ＮＩＲセンサーおよびカラーセンサーおよび／または運動センサーによる同時測定を実行すること、または、対応する測定値を同時に保存することを設定してもよい。様々な例示的実施形態では、毛髪上の位置は、生え際の上方領域、中央領域および下方領域、または境界領域を含み得る。様々な例示的実施形態では、例えば、ユーザーの髪の上方の髪の生え際は、茶色の色調があり、毛髪の損傷度合いは軽度からわずかであり得、また、ユーザーの髪の下方境界領域は、先端に明るいブロンドの色調があり、毛髪の損傷度合いは中程度から重度であり得る。
【０１２５】
様々な例示的実施形態では、ＮＩＲセンサーおよびカラーセンサーによる同時測定および／または運動センサーによる装置の運動の検出は、連続的な測定実行による装置の迅速な操作を可能にし得る。
【０１２６】
様々な例示的実施形態では、ＮＩＲセンサーおよびカラーセンサーによる同時測定、および／または運動センサーによる装置の運動の検出により、ＮＩＲセンサーによる赤外線の測定、およびカラーセンサーによる可視光の測定を、消費者の毛髪の位置に明確に割り当てることができる。
【０１２７】
様々な例示的実施形態では、ＮＩＲセンサーおよびカラーセンサーによる同時測定および／または運動センサーによる装置の運動の検出により、毛髪のいくつかの測定に基づく毛髪の過去の損傷または変化を記録するために、赤外線値および色値を同時に決定する局所測定ゾーンを実現できる場合がある。
【０１２８】
様々な例示的実施形態では、シリコン製の小型圧電加速度計を加速度センサーとして使用してもよく、これは、加速度によって、すなわち、手の動きによる毛髪状態検出装置の加速度によって引き起こされる圧力変動を電気信号に変換できる。
【０１２９】
様々な例示的実施形態では、加速度と同様にセンサーの傾き（重力に対する位置）を示し得る信号を提供する加速度センサー、例えば、ピエゾ抵抗型またはピエゾ容量型またはマイクロメカニカルジャイロスコープセンサーを使用してよい。
【０１３０】
様々な例示的実施形態では、例えば、ピエゾセラミックセンサープレートは、動的圧力変動を電気信号に変換してもよく、それをさらに処理してもよい。圧力変動は、ピエゾセラミックに取り付けられた（地震）質量によって生成され、システム全体が加速されたときにピエゾセラミックに作用する。
【０１３１】
様々な例示的実施形態では、加速度センサーとして微小電気機械システム（ＭＥＭＳ）を使用してもよく、それはシリコン製であってもよい。様々な例示的実施形態では、センサーは、ばね質量システムを表すことができ、ばねは、幅がほんの数μｍのシリコンの棒であってよく、前記質量もシリコン製であってよい。加速中のたわみにより、電気静電容量の変化が、ばねに取り付けられた部品と固定された参照電極との間で測定され得る。測定範囲全体は、約１ｐＦの静電容量の変化に対応する。この小さな静電容量の変化を評価するための電子機器は、集積回路（ＩＣ）に収容され得る。
【０１３２】
様々な例示的実施形態では、センサー信号が水平または垂直の場合、ボディ、例えば毛髪状態検出装置の位置も空間において決定し得るように、加速度計は、センサー信号のＤＣ成分が異なるように設定してもよい。
【０１３３】
様々な例示的実施形態では、加速度センサーは１次元で最大感度でしか反応しないため、平面または３次元空間での動きを検出できるようにするために、複数のセンサー、例えば２つまたは３つのセンサーを組み合わせる必要がある場合がある。様々な例示的実施形態では、複数のセンサーを使用して、３次元空間（平面）における人間の動きの挙動をより正確に測定してもよい。
【０１３４】
様々な例示的実施形態では、加速度計は、並進運動と回転運動、および両方の混合を所定のサンプリングレートで検出するように設定してもよい。
【０１３５】
様々な例示的実施形態では、活動またはパターン認識方法は、いくつかの連続した処理工程で構成されていてもよい。様々な例示的実施形態では、加速度センサーによって取得された測定データの処理には、生センサーデータの取得、それらの前処理およびセグメンテーション、意味のある特性の取得および実際の分類を含むことができ、これは記録されたデータを個々のアクティビティに割り当ててもよい。様々な例示的実施形態では、一連のアクティビティまたはモーションシーケンスから、測定されたセンサーデータを最もよく説明し得るモーションシーケンスを決定することが目的である場合がある。様々な例示的実施形態では、約±５Ｇ、例えば約±４Ｇの測定範囲、および約２０〜６０Ｈｚの範囲、例えば約５０Ｈｚのサンプリングレートが、運動（モーション）検出のために選択されてもよい。
【０１３６】
様々な例示的実施形態では、加速度計はすでにデジタル化されており、ある程度「スマート」であるため、ほとんどの前処理工程、例えば、アナログからデジタルへの変換、較正、または温度補償はハードウェア自体で直接実行できる。様々な例示的実施形態では、測定された生センサーデータを標準化された単位、例えばｍ／ｓ２またはｒａｄ／ｓ、および座標系に変換すると、役立つ場合がある。様々な例示的実施形態では、複数のセンサーが使用されている場合、データストリームも同期されてよい。様々な例示的実施形態では、これは、信号間の静的オフセットに関係するだけでなく、種々のサンプリングレートで完全なリサンプリングが必要になる場合がある。
【０１３７】
様々な例示的実施形態では、前記少なくとも１つの加速度計は、連続的なデータストリームを提供し得る。どの期間にどの動きまたは活動が起こったかを知るために、様々な例示的実施形態において、ストリームから個々のセグメントを抽出してもよい。したがって、様々な例示的実施形態では、可能性のある活動の開始および終了を、例えば運動の強さを測定することによって、既に検出しようとしている場合、または追加のセンサーまたはコンテキスト情報が使用される場合がある。様々な例示的実施形態では、固定サイズのウィンドウは、特定の増分および／または重複（スライディングウィンドウ）においてデータを横断して移動してよい。様々な例示的実施形態では、セグメントサイズが小さすぎず、大きすぎないことを保証することが重要である。小さすぎると、簡潔な動きのパターンが途切れる可能性がある。大きすぎると、複数の連続する動きのパターンがぼやける可能性がある。様々な例示的実施形態では、測定値は、セグメント内の位置に従い、例えばハミングウィンドウとして重み付けしてもよい。様々な例示的実施形態では、例えば５０Ｈｚで、１２８サンプルのサイズのスライディングウィンドウを（重み付けされていない）長方形のウィンドウとともに約２．５６秒間使用してもよく、これは、半分オーバーラップして互いにスライドしてもよい。様々な例示的実施形態では、例えば、リングバッファを使用してもよく、これは、最初に満たされ、次にすべてのサンプルが読み取られ、さらに処理される。
【０１３８】
様々な例示的実施形態では、特徴の計算および選択は、センサーによって測定された出力信号から意味のある特徴が計算され得るような方法で実行してよい。次に、セグメントごとに特徴を計算し、特徴ベクトルとして分類手順に回してもよい。特徴ベクトルが及ぶ空間は、特徴空間と呼ばれることがある。セグメントごとに計算される特徴が多いほど、特徴空間の次元が大きくなるか、高次元になる。特徴の選択および削減のために、主成分分析などの自動ヒューリスティックおよび方法が、様々な例示的実施形態で利用可能であり得る。確立された特徴には、平均値、分散、傾斜、曲率などの統計的モーメントが含まれ得る。周波数ベースの特徴、例えば周波数帯域のピークまたはエネルギー、関節の角度および向きなどのボディモデルのパラメーター、またはさらに抽象的なバリエーションなどは、ＦＦＴを使用して実現してもよい。
【０１３９】
様々な例示的実施形態では、人間の動きの認識は、音声認識、条件付き確率場（ＣＲＦ）、隠れマルコフモデル（ＨＭＭ）、動的ベイジアンネットワーク（ＤＢＮ）、計算状態空間モデル（ＣＳＳＭ）などの時間ベースの確率モデルからの文字列マッチングおよび動的時間伸縮法（ＤＴＷ）を使用した単純なアドホック構成の制御システムによって実現され得る。様々な例示的実施形態では、サポートベクターマシン（ＳＶＭ）およびＣ４．５決定木などの判別統計的機械学習手法を使用して、単純な動きを検出し得る。
【０１４０】
様々な例示的実施形態では、装置はまた、プロセッサなどの電子回路装置を含んでよい。
【０１４１】
様々な例示的実施形態では、回路装置は、加速度計によって検出された装置の少なくとも１つの運動状態に基づいて装置の動作状態を制御するように少なくとも構成されてもよい。
【０１４２】
様々な例示的実施形態では、回路装置はまた、少なくとも１つのセンサーによって検出された少なくとも１つの毛髪状態情報を、装置の記憶装置または外部記憶装置に保存するように、および／または装置の記憶装置または外部記憶装置から少なくとも１つの毛髪状態情報を削除するように、および／または毛髪状態情報を外部データ処理装置に送信するように、および／または装置の表示装置および／または外部データ処理装置の表示装置に毛髪状態情報に基づく情報を表示するように、設定されてもよい。
【０１４３】
様々な例示的実施形態では、装置は、装置によって取得された少なくとも１つの毛髪状態情報に基づく情報を表示するための表示装置をさらに含んでよい。
【０１４４】
様々な例示的実施形態では、装置は、測定の完了、エラー状態、またはさらなるシステム状態をユーザーに触覚的に伝達するための振動ユニットをさらに含んでよい。
【０１４５】
様々な例示的実施形態では、入力装置を使用して、例えば、所望のヘアカラー、所望のケア状態、または所望のスタイリングなどの所望の結果を入力してよい。さらに、入力装置を使用して、毛髪状態検出装置がおすすめ事項を決定する際に考慮し得るさらなる情報、例えば製品が耐水性であるべきかどうか、ユーザーの年齢や性別（例えばケア製品に香りがする場合）を提供してよい。
【０１４６】
様々な例示的実施形態では、複数のセンサーは同時に動作し得る。
【０１４７】
様々な例示的実施形態では、毛髪状態センサーは、赤外線センサー（ＩＲセンサー）または近赤外線分光センサー（ＮＩＲセンサー）および／またはＵＶ／蛍光センサーおよび／または可視光を検出し得るセンサーを含んでよい。
【０１４８】
様々な例示的実施形態では、内部毛髪の損傷および／または毛髪の水分レベルは、毛髪状態センサーによって検出され、電子回路装置によって決定されてもよい。
【０１４９】
様々な例示的実施形態では、毛髪状態検出装置は、装置および／またはソフトウェア製品のエコシステムの一部であってよい。そのようなエコシステムは、例えば個々のヘアトリートメント製品を製造するための混合装置、例えば「スマートミラー」の形のセパレート表示装置、例えばタブレットのデータ処理装置にインストールされ、個々のデバイスおよびデータフローを制御する中央制御ソフトウェアを含んでよい。
【０１５０】
様々な例示的実施形態では、エコシステムの一部として毛髪状態検出装置によって記録されたデータ、および必要に応じて、専門家、例えば美容師が、アプリまたは他の適切なソフトウェアを介して、例えば少なくとも一人のユーザーの毛髪の外観および／または触覚に関して入力したさらなるデータは、「クラウド」で処理されてもよく、それによって、特に毛髪の損傷の測定が処理されてもよい。
【０１５１】
様々な例示的実施形態では、ヘアトリートメント製品、例えばシャンプー、硬化剤（cure）または着色剤の具体的な組成は、測定された毛髪状態に基づいて計算され得る。様々な例示的実施形態では、ユーザーの測定された毛髪状態に適合されたヘアトリートメント製品の組成が決定され、混合装置に送られてもよい。混合装置では、例えば、個々のヘアトリートメント製品は、いくつかの基本的な配合物から製造されてもよい。種々の実施形態では、エコシステムは、中央データ処理デバイス、例えばタブレット、ｉＰａｄ（登録商標）などによって制御されてもよい。様々な例示的実施形態では、結果、例えば、毛髪の損傷度合い、含水率、計算された髪の色は、表示装置、例えば、スマートミラー、ユーザーまたは顧客によって並行して視覚化されてもよい。
【０１５２】
様々な例示的実施形態において、個々のヘアトリートメント製品は、毛髪状態検出装置によって記録されたデータおよび／または測定された毛髪状態によって、ユーザーのために生産され得る。
【０１５３】
様々な例示的実施形態では、毛髪状態情報を提供する方法が提供されてもよい。この方法は、請求項１〜１４のいずれか一項に記載の毛髪状態検出装置を、毛髪から所定の距離にあるユーザーの毛髪の領域に沿って移動させること、少なくとも１つの光源によって毛髪を照らすこと、照明中に、少なくとも１つの第１センサーによって、毛髪と相互作用した光の一部を検出すること、第２センサーによって少なくとも１つの毛髪の損傷を検出すること、毛髪状態検出装置が加速度センサーによって空間内を移動するとき、少なくとも１つの運動パターンを検出すること、および電子回路装置によって、検出された運動パターンに基づく少なくとも１つの検出された毛髪状態情報を処理することを含んでよい。
【０１５４】
様々な例示的実施形態では、前記処理は、以下のうちの少なくとも１つを含んでよい：第１運動パターンが検出されると、少なくとも１つのセンサーによって検出された毛髪状態情報を記憶装置に保存すること、第２運動パターンが検出されると、記憶装置および／または外部記憶装置に保存された少なくとも１つの毛髪状態情報を削除すること、第３運動パターンが検出されると、毛髪状態情報を外部データ処理装置および／または外部記憶装置に送信すること、第４運動パターンが検出されると、装置の表示装置および／または外部データ処理装置の表示装置に毛髪状態情報に基づく情報を表示すること。
【０１５５】
様々な例示的実施形態では、前記方法は、髪色の検出を１回目に実行し、毛髪の損傷度合いの検出を２回目に実行することをさらに含んでよく、前記１回目および２回目は所定の時間範囲内にある。
【０１５６】
言い換えると、様々な例示的実施形態では、髪色の検出を実行すること、および毛髪の損傷度合いの検出を実行することとは、ほぼ同時に実行されてよい。様々な例示的実施形態では、これにより、データセットに、髪色値（カラーセンサーによって検出される）、毛髪の損傷度合い値（毛髪状態センサーによって検出される）、および空間内の位置（加速度センサーによって検出される）を含めることができる。様々な例示的実施形態において、さらなる処理のために、例えば表示装置上に表示するために、毛髪状態検出装置によって多次元データセットを提供することが可能である。
【０１５７】
様々な例示的実施形態では、運動パターンの検出は、検出された運動を電子回路装置によって所定の運動パターンと比較すること、および回路装置によって前記運動を所定の運動パターンに割り当てることを含み得る。
【０１５８】
様々な例示的実施形態では、前記方法は、複数のセンサーのうちの少なくとも１つのセンサーを較正媒体によって較正することをさらに含んでもよく、ここで、毛髪状態検出装置は較正媒体を含む、ここで、複数のセンサーの少なくとも１つのセンサーは、較正媒体の反対側に配置される、ここで、複数のセンサーの少なくとも１つのセンサーのセンサー主測定方向は、較正媒体に対して所定の角度で配置される、ここで、較正媒体はセラミック材料を含む。
【０１５９】
様々な例示的実施形態では、較正は、第１領域および第２領域が所定の距離で互いに向き合うように、毛髪状態検出装置の第１領域および第２領域をマージすることをさらに含んでよく、ここで、第１領域に第１センサーおよび第２センサーが配置され、第２領域に較正媒体が配置され、マージ中に複数のセンサーのうちの少なくとも１つのセンサーの較正が実行される。
【０１６０】
様々な例示的実施形態では、スタンバイ状態（例えば、運動センサーおよび回路装置のみに電力が供給されている）にある毛髪状態検出装置は、片手でユーザーが持ち上げてよい。様々な例示的実施形態では、毛髪状態検出装置は、少なくとも１つの加速度センサーによって毛髪状態検出装置の運動の変化を検出し、検出された運動に対応するセンサー出力測定データを無線または有線で電子回路装置に送信してよい。様々な例示的実施形態では、回路装置は、受信した測定データを既知の運動測定データと比較し、それらを少なくとも１つの既知の運動測定データセットに割り当ててよい。様々な例示的実施形態では、回路装置は、スタンバイモードの毛髪状態検出装置を運転モードに起動してもよい（例えば、運動センサーおよび回路装置に加えて、少なくとも１つの光源および少なくとも１つのカラーセンサーおよび１つの毛髪状態センサーにも、充電式バッテリーからエネルギーが供給される）。様々な例示的実施形態では、ユーザーは、一連の測定を実行する前に、毛髪状態検出装置の運転モードを起動するために、所定の運動パターンに従って毛髪状態検出装置を動かしてよい。例えば、外部の充電ステーションから毛髪状態検出装置を取り外した後、「毛髪状態検出装置を垂直に保持する」、新しい一連の測定を開始するために、「毛髪状態検出装置を垂直に保持し、シェイクする」、最後の測定を削除するために「毛髪状態検出装置をシェイクアウトする」など。
【０１６１】
様々な例示的実施形態では、毛髪状態検出装置は、ユーザーのさらなる運動パターンを検出し、対応するコマンドを処理してよい。様々な例示的実施形態では、毛髪状態検出装置は、ユーザーによって提供される新しい運動パターンを検出できるように設定されてもよい。すなわち、ユーザーが毛髪状態検出装置で腕を所定の方法で動かすか、所定の方法で繰り返し動かす動作を保存し、毛髪状態検出装置によって実行される特定のアクションまたは測定シーケンスに割り当てること。
【０１６２】
様々な例示的実施形態では、新しい測定シリーズが実行される前に、「毛髪状態検出装置を垂直に保持してシェイクする」ことによって、毛髪状態検出装置を起動させてよい。様々な例示的実施形態では、毛髪状態検出装置は、新しい測定シリーズの開始の準備、例えば、毛髪状態検出装置上のカラーセンサーおよび／または毛髪状態センサーおよび／または少なくとも１つの光源が起動できるようにパラメーター化されてもよい。様々な例示的実施形態では、ユーザーは、毛髪が、例えば、少なくとも１つのセンサーおよび／または１つの光源を含み得る第１領域と、少なくとも１つのキャリヤーおよび／または１つの較正媒体を含み得る第２領域との間に位置することができるように、毛髪状態検出装置を消費者の毛髪に持ってくる、または置く、または動かしてよく、また、毛髪に損傷を与えることなく、ユーザーの手動の力によって、はさむような方法で第１領域および第２領域によって把持されてもよい。
【０１６３】
様々な例示的実施形態では、毛髪状態測定は、毛髪状態検出装置によって一点で実行されてよく、カラーセンサーおよび／または毛髪状態センサーによって記録された測定データは、回路装置に送信されてよい。
【０１６４】
様々な例示的実施形態では、一連の測定は、毛髪状態検出装置によって、例えばユーザーが毛髪状態検出装置を生え際から毛髪の先端に移動させることによって、変化する位置で実行されてもよい。様々な例示的実施形態では、回路装置は、それぞれのセンサー自体から受信した測定データまたは一連の測定値を評価してもよく、評価のために無線または有線で外部データ処理装置に送信してもよい。様々な例示的実施形態では、取得されたデータの評価は、例えば、毛髪状態検出装置および／または外部データ処理装置の表示装置上の毛髪状態情報のグラフィック表現を含んでよい。様々な例示的実施形態では、取得された測定データはまた、毛髪状態検出装置の記憶装置および／または外部データ処理装置に保存されてよい。
【０１６５】
様々な例示的実施形態では、毛髪状態検出装置のユーザーは、毛髪状態検出装置をストレージモードにセットするために、所定の運動パターンに従って毛髪状態検出装置を動かすことにより、例えば、新しい一連の測定を実行する前に、毛髪状態検出装置を「左から右へ、そして再び右から左へ高速移動させること」により、取得した測定データを保存させてよい。
【０１６６】
様々な例示的実施形態では、毛髪状態検出装置は、例えば、センサー測定値の少なくとも１つの記録の実行が成功した後の「シェイクアウト」によって、スタンバイモードに設定されてもよい。例えば、毛髪状態検出装置が充電ステーションに配置されている場合、毛髪状態検出装置は、例えば、カラーセンサーおよび毛髪状態センサーに、もはやエネルギーが供給されず、加速度センサーおよび回路装置のみにエネルギーが供給され得るスタンバイモードに設定されてよい。
【０１６７】
様々な例示的実施形態では、髪色の色合いおよび毛髪の損傷度合いからなる一連の測定値、および消費者の毛髪から少なくとも１つの髪色および少なくとも１つの毛髪の損傷度合いが記録された位置は、さらなるデータの後処理に利用できる可能性がある。
【０１６８】
様々な例示的実施形態では、毛髪状態検出装置を使用して、所定の時間の後に、一連の測定結果を比較するため、例えば、適切なヘアケア製品を使用することにより、消費者の毛髪への毛髪の損傷度合いを最小限にすることに関する進行状況を追跡または決定できるようにするため、連続的に消費者の毛髪に関する複数の一連の測定を繰り返し実行することを可能にし得る。
【０１６９】
様々な例示的実施形態では、前記装置は、データリンクを介して毛髪状態情報を管理するためにメモリと情報、例えば髪色および／または毛髪の損傷の程度に関する測定値を交換してよい。前記メモリは、大規模なデータストレージ、例えばデータサーバー、クラウドサーバー、定性情報マイナーサーバー（Constant Information Miner Server）（ＫＮＩＭＥサーバー）またはビッグデータＫＮＩＭＥサーバーなどの分析プラットフォームであってよい。ＫＮＩＭＥサーバーを使用することにより、大量のデータに対する統計的手法の体系的な適用を実現してよく、これにより、「ビッグデータ」またはマスデータとも呼ばれる大量のデータを、手動または従来のデータ処理方法では評価され得ない。例えば、ＫＮＩＭＥサーバーを使用することにより、ユーザーデータのデータ前処理用モジュールの簡単かつ高速の接続が、グラフィカルユーザーインターフェースを使用して実現される。ＫＮＩＭＥサーバーおよびビッグデータを使用することにより、例えば、新しいクロスリンクおよびケア製品業界のトレンドを特定し得る。
【０１７０】
ここで説明する設計および利点は、装置および方法を参照する。
【図面の簡単な説明】
【０１７１】
本発明の例示的実施形態を図に示し、以下でより詳細に説明する。
【図１】種々の例示的実施形態による、毛髪状態情報を提供するための毛髪状態検出装置の概略側面図
【図２】種々の例示的実施形態による、毛髪状態情報を提供するための毛髪状態検出装置の概略図
【図３ａ】種々の例示的実施形態による、毛髪状態情報を提供するための毛髪状態検出装置の例示的な動作
【図３ｂ】種々の例示的実施形態による、毛髪状態情報を提供するための毛髪状態検出装置の例示的な動作
【図３ｃ】種々の例示的実施形態による、毛髪状態情報を提供するための毛髪状態検出装置の例示的な動作
【図４】種々の例示的実施形態による、毛髪状態情報を提供するための方法の例示的なフローチャート
【発明を実施するための形態】
【０１７２】
以下の詳細な説明では、本出願の一部を形成し、例示のために、本発明を適用し得る特定の例示的実施形態を示す添付の図面を参照する。
【０１７３】
この点に関して、「上（top）」、「下（bottom）」、「前（front）」、「後（back）」、「前方（forward）」、「後方（backward）」などの方向の用語は、説明された図の向きに関して使用される。実施形態の構成要素は、複数の異なる向きに配置され得るため、方向の用語は、例示の目的のために使用されており、決して限定的なものではない。本発明の保護範囲から逸脱することなく、他の実施形態を使用することができ、構造的または論理的な変更を加えることができることは言うまでもない。
【０１７４】
さらに、本明細書に記載の様々な例示的実施形態は、特に明記しない限り、互いに組み合わせることができることは言うまでもない。
【０１７５】
したがって、以下の詳細な説明は、限定的意味に理解されるべきではなく、本発明の保護範囲は、添付の特許請求の範囲によって定義される。
【０１７６】
本明細書では、デジタル画像は、例えばｘ軸およびｙ軸を有する座標系において、ピクセルの二次元セットアップとしてデータ処理システムによってあらわされ得るデータパケットであると理解されてよい。各ピクセルは、モニターのピクセルまたは印刷された画像の印刷されたドットの色として表され得る少なくとも１つの色情報に関連付けられている。デジタル画像は、例えば、デジタルカメラで撮られた写真、またはデジタルカメラで撮られたビデオシーケンスの単一のフレームであってよい。
【０１７７】
この文脈において、「色」は、色合い（すなわち、「実際の色」と見なされるものとして理解され得る、色相としても知られるスペクトルカラーの印象）、色強度（すなわち彩度（saturation）、彩度（color saturation）、色度（chromaticity）、色度（chromaticity）、または色深度とも呼ばれるニュートラルグレーと比較した場合の色の強さ）、および明るさ（すなわち、色がどの程度明るいか暗いか）の組み合わせとして理解され得る。
【０１７８】
様々な例示的実施形態では、色情報は既知の色空間で、例えばＬ＊ａ＊ｂ＊色空間（ここで、Ｌ＊は色の明るさ、ａ＊は緑および赤の色成分、ｂ＊は青および黄色の色成分を示す）で、赤、緑、青の色成分によるＲＧＢ色空間で、シアン、マゼンタ、イエロー、ブラックの色成分によるＣＭＹＫ色空間で、または他の色空間でパラメーター化されてよい。
【０１７９】
「色相」という用語は、本明細書では、どのようにパラメーター化され得るかに関係なく、例えば二次元色空間内の点（例えば、Ｌ＊ａ＊ｂ＊システムのａ＊ｂ＊）または色成分の比（ＲＧＢ色空間またはＣＭＹＫ色空間など）として、色値または色のスペクトル色印象として理解され得る。
【０１８０】
様々な例示的実施形態では、色情報（髪色情報および画像の色情報）が由来する色空間は、決定または表される色が、色が決定または表される媒体とは無関係であるようなものであってよい（例えば、スクリーン、プリンター、スキャナー、人間の目など）。色空間は、例えば、Ｌ＊ａ＊ｂ＊色空間であってよく、色情報は、例えば、ａ＊およびｂ＊によってパラメーター化された色合いであってよい。中程度の独立した色空間における均一な表現は、現実的に期待される着色結果を提示することを可能する。
【０１８１】
図１は、種々の実施形態による、毛髪状態情報を提供するための毛髪状態検出装置の概略側面図である。
【０１８２】
様々なサンプルの実施形態において、毛髪状態検出装置は、第１領域Ａに、少なくとも１つの光学センサー１、例えば、カラーセンサー１ａおよび毛髪状態センサー１ｂを含んでよい。様々な例示的実施形態では、第１領域Ａは、光源２、加速度センサー６、電子回路装置７、記憶装置８、および場合により、表示装置１１をさらに含んでよい。様々な例示的実施形態では、表示装置１１は、毛髪状態検出装置の上に配置されてもよい。
【０１８３】
様々な例示的実施形態では、第１領域Ａは、触覚信号発生器（バイブレータ）をさらに含んでよい
【０１８４】
様々な例示的実施形態では、第１領域Ａは、接続要素４を介して第２領域Ｂに結合されてもよい。様々な例示的実施形態では、接続要素４は、Ｕ字形状の弾性ばね鋼を含んでよい。様々な例示的実施形態では、第２領域Ｂは、キャリヤー３および較正媒体５を含んでよい。様々な例示的実施形態では、第１領域Ａおよび第２領域Ｂは、接続要素４の端部領域Ｃに配置されてもよい。様々な例示的実施形態では、第１領域Ａの下面は、第２領域Ｂから、所定の距離Ｄ、例えば、約０ｍｍ〜約２００ｍｍの範囲にあってよい。様々な例示的実施形態では、消費者の毛髪Ｈは、第１領域Ａと第２領域Ｂとの間に配置されてもよい。様々な例示的実施形態では、光源２は、例えば髪色および毛髪の損傷度合いなどの毛髪状態情報の測定中に、反対側のキャリヤー３および／または反対側の較正媒体５を照らすように構成されてよい。様々な例示的実施形態では、運動または運動パターン６は、加速度センサー６によって検出され、検出された測定データを少なくとも１つの既知の運動パターンと比較することによって、電子回路装置７により決定されてよい。様々な例示的実施形態では、少なくとも１つの記録されたセンサー測定データ記録は、記憶装置８によってアーカイブまたは記憶されてもよい。様々な例示的実施形態では、毛髪状態検出装置の消費者および／またはユーザーの少なくとも１つの毛髪状態情報は、表示装置１１によって表示されてもよい。
【０１８５】
様々な例示的実施形態では、例えばスタンバイモードにある毛髪状態検出装置（例えば、スタンバイモードでは、運動センサーおよび回路装置にのみ電力が供給される）は、片方の手、すなわち片手だけで、例えば美容師などのユーザーによって持ち上げられてよい。様々な例示的実施形態では、毛髪状態検出装置は、少なくとも１つの加速度センサー６によって毛髪状態検出装置の空間における運動の変化を検出し、検出された運動に対応するセンサー出力測定データを無線または有線で電子回路装置７に送信してよい。様々な例示的実施形態では、回路装置７は、受信した測定データを既知の運動測定データと比較し、それらを少なくとも１つの既知の運動測定データレコードに割り当ててよい。
【０１８６】
様々な例示的実施形態では、回路装置７は、スタンバイモードの毛髪状態検出装置を運転（オペレーティング）モードに起動させ得る（例えば、運転モードでは、運動センサー６および回路装置７に加えて、少なくとも１つの光源２および少なくとも１つのカラーセンサー１ａおよび毛髪状態センサー１ｂにも充電式バッテリーからエネルギーが供給される）。
【０１８７】
様々な例示的実施形態では、ユーザーは、毛髪状態検出装置を運転状態に移行させるために、一連の測定を実行する前に、所定の運動パターンに従って毛髪状態検出装置を動かしてよい。例えば、毛髪状態検出装置を外部充電ステーションから取り外した後、「毛髪状態検出装置を垂直に保持すること」で、毛髪状態検出装置を起動してよく、「毛髪状態検出装置を垂直に保持してシェイクすること」を、少なくとも１つの測定シリーズの新しい記録を開始するために使用してよく、「毛髪状態検出装置をシェイクアウトすること」を、最後の測定および／または一連の測定を記憶装置７から削除するために使用してよいなど。
【０１８８】
様々な例示的実施形態では、毛髪状態検出装置は、ユーザーのさらなる動きパターンをキャプチャし、次いで、対応するコマンドを処理してよい。様々な例示的実施形態では、毛髪状態検出装置は、新たに提供された運動パターン、すなわち、ユーザーが腕を毛髪状態検出装置と一緒に所定の方法で動かす動き、または所定の方法で繰り返し動かす動きを学習および保存し、それらを毛髪状態検出装置によって実行され得る特定の動きに割り当てるように設定されてよい。
【０１８９】
様々な例示的実施形態では、毛髪状態検出装置は、新しい測定シリーズが実行される前に、毛髪状態検出装置を「垂直に保持してシェイクする」ことによって起動されてもよい。様々な例示的実施形態では、その後、少なくとも１つの新しい一連の測定を行う準備ができているような、例えばカラーセンサー１ａおよび／または毛髪状態センサー１ｂおよび／または少なくとも１つの光源２が毛髪状態検出装置上で起動され得る方法で、毛髪状態検出装置をパラメーター化してよい。様々な例示的実施形態では、ユーザーは、毛髪が、例えば少なくとも１つのセンサー１および／または１つの光源２含み得る第１領域Ａと、少なくとも１つのキャリヤー３および／または１つの較正媒体５を含み得る第２領域Ｂとの間に位置するように、毛髪状態検出装置を消費者の毛髪Ｈに取り付け、または適用し、または移動してよく、また、第１領域Ａおよび第２領域Ｂにより、毛髪の損傷を引き起こすことなく、ユーザーの手動の力によって、はさむように保持されてもよい。
【０１９０】
様々な例示的実施形態では、装置によって複数の毛髪状態の測定値を記録するために、測定される消費者の毛髪Ｈが第１領域Ａと第２領域Ｂとの間に位置している間に、第１領域Ａおよび第２領域Ｂは、ユーザーの筋力によって互いに向かって動かされてよい。
【０１９１】
様々な例示的実施形態では、第１センサー１ａ、例えばカラーセンサー、および／または第２センサー１ｂ、例えばＮＩＲセンサーは、カラーセンサーおよび／またはＮＩＲセンサーおよび光源２の起動後、較正媒体５による較正プロセス中に、較正モードに設定されてもよい。次に、様々な例示的実施形態において、較正媒体５は、筋力を使用して反対側のカラーセンサー１ａおよび／またはＮＩＲセンサー１ｂに向かって、所定の距離、例えば約０ｍｍから約１０ｍｍの距離まで、移動されてよい。様々な例示的実施形態では、例えば、較正媒体は、ＮＩＲセンサーの較正プロセス中に、ＮＩＲセンサーの主測定表面の直前または正面に直接に配置されてもよい。様々な例示的実施形態では、次に、カラーセンサー１ａは、光源２を使用してよく、および／またはＮＩＲセンサー１ｂは、センサー１の反対側の較正媒体５、例えばセラミックの表面を照らし、反射された光線および／または赤外線の反射（したがって、吸収）を検出または測定するために赤外線源（ＩＲ源）を使用してよい。次に、様々な例示的実施形態において、カラーセンサー１ａおよび／またはＮＩＲセンサー１ｂは、すべてのさらなる測定のための内部較正プロファイルを生成してよい。
【０１９２】
様々な例示的実施形態では、毛髪状態検出装置を使用して、毛髪の１点で毛髪状態測定を実行してよく、カラーセンサー１ａおよび／または毛髪状態センサー１ｂによって記録された測定データを回路装置７に送信してよい。
【０１９３】
様々な例示的実施形態では、第１センサー１ａ、例えばカラーセンサー、および／または第２センサー１ｂ、例えばＮＩＲセンサーは、光源２および／または赤外線源がスイッチオンされたときに光を放出してよく、それは消費者の髪にかかり得、それにより、放出された光は毛髪によってまたは毛髪上で反射される。様々な例示的実施形態では、反射光線および／または赤外線は、例えば、センサー１によって検出または測定され、記憶装置８に保存されてもよい。様々な例示的実施形態では、表現空間への変換を伴うマルチチャネル色測定、例えば、ＣＩＥ  ＬＡＢは、カラーセンサー１ａを使用して実行されてもよい。
【０１９４】
様々な例示的実施形態では、一連の測定は、毛髪状態検出装置によって、例えばユーザーが毛髪状態検出装置を生え際から毛髪の先端に移動させることによって、変化する位置で実行してよい。様々な例示的実施形態では、回路装置７は、それぞれのセンサー１ａ、１ｂから受信した測定データまたは一連の測定値をそれ自体で評価してもよく、または、それらを無線または有線で、評価用に少なくとも１つの外部データ処理装置１０に送信してもよい。様々な例示的実施形態では、取得されたデータの評価は、例えば、毛髪状態検出装置上の表示装置１１および／または外部データ処理装置上の表示装置１２での毛髪状態情報のグラフィック表現を含み得る。様々な例示的実施形態では、取得された測定データはまた、毛髪状態検出装置の記憶装置８および／または外部データ処理装置１０に保存されてもよい。
【０１９５】
様々な例示的実施形態では、毛髪状態検出装置のユーザーは、毛髪状態検出装置をストレージモードにするために、所定の運動パターンに従って毛髪状態検出装置を動かすことにより、例えば、新しい測定シリーズを実行する前の毛髪状態検出装置の「左から右へ、そして再び右から左への速い動き」により、取得した測定データを保存してよい。
【０１９６】
様々な例示的実施形態では、毛髪状態検出装置は、例えば、センサー測定値の少なくとも１つの記録の成功した実行後の「シェイクアウト」によって、スタンバイモードに設定されてもよく、例えば、毛髪状態検出装置が充電ステーションに配置されている場合、例えばカラーセンサー１ａ、毛髪状態センサー１ｂ、光源２および赤外線光源にエネルギーが供給されなくなり、加速度センサー６および回路装置７にのみエネルギーが供給されてよい。
【０１９７】
図２は、種々の例示的実施形態による、毛髪状態情報を提供するための装置の概略図を示す。
【０１９８】
様々な例示的実施形態では、毛髪状態検出装置は、データ送信モジュールを含んでよく、それにより、取得された測定データは、接続１５、例えばワイヤレス接続を介して、少なくとも１つの外部データ処理装置１０、例えばスマートフォンまたはタブレットに送信されてよい。様々な例示的実施形態では、外部データ処理装置１０に送信された測定データは、例えば、表示装置１２によってグラフィカルに表されてよい。様々な例示的実施形態では、毛髪状態検出装置は、データ送信モジュールを有してもよく、それにより、取得された測定データは、接続１６、例えば無線接続を介して少なくとも１つの外部記憶装置９に送信されてもよい。様々な例示的実施形態では、データ送信モジュールは同じであってもよく、接続１５および１６を介したデータ送信は同時に実現されてもよい。
【０１９９】
図３ａ、３ｂ、３ｃは、種々の例示的実施形態による、ユーザーによる毛髪状態情報の提供のための毛髪状態検出装置の例示的な動作を示す。
【０２００】
図３ａは、ユーザーが最初に毛髪状態検出装置を垂直に保持し、次にそれを左から右に水平にシェイクする運動パターンを示す。この運動パターンは、回路装置７によって認識または登録されてよい。次いで、毛髪状態検出装置は、新しい一連の測定値を記録する準備ができるように構成されてよい。
【０２０１】
図３ｂは、例えば１つの軸の周りでユーザーが毛髪状態検出装置を「シェイクアウト」し、毛髪状態検出装置に以前に取得した測定データまたは少なくとも１つの測定シリーズを削除させる運動パターンを示す。
【０２０２】
図３ｃは、別の例示的な運動パターンを示し、ユーザーは、例えば、毛髪状態検出装置に測定データを外部データ処理装置１０に送信させてよい。
【０２０３】
図４は、種々の例示的実施形態による、毛髪状態情報を提供する方法の例示的なフローチャートを示す。
【０２０４】
毛髪状態情報を提供する方法は、様々な例示的実施形態で使用されてもよい。
【０２０５】
毛髪状態情報を提供する方法は、様々な例示的実施形態で使用されてよく、例えば、請求項１〜１４のいずれかに記載の毛髪状態検出装置を、毛髪から所定の距離で、ユーザーの毛髪の領域に沿って動かすこと、少なくとも１つの光源によって、毛髪を照らすこと、照明中に、毛髪と相互作用した光の一部を、少なくとも１つの第１センサーによって検出すること、第２センサーによって、少なくとも１つの毛髪の損傷度合いを検出すること、毛髪状態検出装置が空間内で動いている間に、加速度センサーによって、少なくとも１つの運動パターンを検出すること、および電子回路装置によって、検出された運動パターンに基づく少なくとも１つの検出された毛髪状態情報を処理することに使用されてよい。
【０２０６】
毛髪状態検出装置に関連して本明細書で説明される特徴および利点は、もちろん、本明細書で説明される方法にも関連し、逆もまた同様である。
【０２０７】
この開示の様々な態様を以下に示す。
【０２０８】
例示的実施形態１は、毛髪状態情報を提供する毛髪状態検出装置である。前記装置は、ユーザーの毛髪が第１領域と第２領域との間を移動できるように構成された第１領域および第２領域を有してよく、ここで、第１領域には、毛髪状態情報として光源からの光を検出するための少なくとも１つの光学センサーが配置され、ここで、第２領域は少なくとも１つのキャリヤーを含み、ここで、少なくとも１つのセンサーのセンサー主測定方向が前記キャリヤーの表面に対して所定の角度に向けられるように、第１領域と第２領域とが互いに向き合うように、第１領域および第２領域が接続要素によって結合されている。
【０２０９】
例示的実施形態２では、例示的実施形態１の保護対象は、場合により接続要素が弾性材料を含むことを示し得る。
【０２１０】
例示的実施形態３では、例示的実施形態１または２の保護対象は、場合により接続要素がＵ字形状を有し、第１領域および第２領域がそれぞれＵ字形状の端部領域に配置されることを示し得る。
【０２１１】
例示的実施形態４では、例示的実施形態１〜３の保護対象は、場合により、少なくとも１つの較正媒体が、第１領域に面するキャリヤーの表面の領域に配置され、ここで、較正媒体は前記装置の少なくとも前記センサーを較正するように構成されていることを示し得る。
【０２１２】
例示的実施形態５では、例示的実施形態４の保護対象は、場合により、較正媒体がセラミック材料を含む、またはセラミック材料であることを示し得る。
【０２１３】
例示的実施形態６では、例示的実施形態１〜５の保護対象は、場合により、第１領域は、吸収または反射によって、ユーザーの髪色および／またはＵＶ光による毛髪の損傷を検出するためのカラーセンサー、およびユーザーの毛髪の損傷度合いを検出するための毛髪状態センサーを含み、ここで、前記カラーセンサーはユーザーの髪色を１回目に検出し、毛髪状態センサーはユーザーの毛髪の損傷度合いを２回目に検出し、前記１回目および前記２回目は所定の時間範囲内にあり、較正媒体は、前記装置の少なくとも前記センサーを較正するように構成されていることを示し得る。
【０２１４】
例示的実施形態７では、例示的実施形態１〜６の保護対象は、場合により、第１領域または第２領域が加速度センサーをさらに含むことを示し得る。
【０２１５】
例示的実施形態８では、例示的実施形態７の保護対象は、場合により、加速度センサーが空間内の前記装置の運動状態を検出するように設計されていることを示し得る。
【０２１６】
例示的実施形態９では、例示的実施形態１〜８の保護対象は、前記装置が電子回路装置をさらに含むことを示し得る。
【０２１７】
例示的実施形態１０では、例示的実施形態９の保護対象は、場合により、回路装置は、加速度センサーによって検出される前記装置の少なくとも１つの運動状態に基づく、前記装置の運転モードを制御するように少なくとも設定されていることを示し得る。
【０２１８】
例示的実施形態１１では、例示的実施形態１０の保護対象は、場合により、回路装置は、それぞれの検出された運動状態に基づいて、少なくとも１つのセンサーによって検出された毛髪状態情報の少なくとも１つの項目を、前記装置の記憶装置または外部記憶装置に保存するように、および／または前記装置の記憶装置または外部記憶装置から、毛髪状態情報の少なくとも１つの項目を削除するように、および／または毛髪状態情報を外部データ処理装置に送信するように、および／または前記装置の表示装置および／または外部データ処理装置の表示装置に、毛髪状態情報に基づく情報を表示するように、さらに設定されていることを示し得る。
【０２１９】
例示的実施形態１２では、例示的実施形態１〜１０の保護対象は、場合により、前記装置は、前記装置によって記録された少なくとも１つの毛髪状態情報に基づく情報を表示するための表示装置をさらに含むことを示し得る。
【０２２０】
例示的実施形態１３では、例示的実施形態６〜１２の保護対象は、場合により、センサーが同時に運転することを示し得る。
【０２２１】
例示的実施形態１４では、例示的実施形態１〜１３の保護対象は、場合により、毛髪状態センサーが近赤外線分光センサーおよび／またはＵＶ／蛍光センサーおよび／または可視光を検出し得るセンサーを含むことを示し得る。
【０２２２】
例示的実施形態１５では、例示的実施形態１〜１４の保護対象は、場合により、毛髪状態検出装置がエコシステムの一部であることを示し得る。
【０２２３】
例示的実施形態１６では、例示的実施形態１〜１５の保護対象は、場合により、毛髪状態検出装置によって記録されたデータおよび／または測定された毛髪状態によって、ユーザーのために個々のヘアトリートメント製品を製造し得ることを示し得る。
【０２２４】
例示的実施形態１７は、毛髪状態情報を提供するための方法である。前記方法は、実施形態１〜１６のいずれかに記載の毛髪状態検出装置を、毛髪から所定の距離で、ユーザーの毛髪の領域に沿って動かすこと、少なくとも１つの光源によって、毛髪を照らすこと、照明中に、毛髪と相互作用した光の一部を、少なくとも１つの第１センサーによって検出すること、第２センサーによって、少なくとも１つ毛髪の損傷度合いを検出すること、毛髪状態検出装置が空間内で動かされたときに、加速度センサーによって、少なくとも１つの運動パターンを検出すること、および電子回路装置によって、検出された運動パターンに基づく少なくとも１つの検出された毛髪状態情報を処理すること、を含むことを示し得る。
【０２２５】
例示的実施形態１８では、例示的実施形態１７の保護対象は、場合により、処理は、以下のうちの少なくとも１つを含むことを示し得る：第１運動パターンが検出されると、少なくとも１つのセンサーによって検出された毛髪状態情報を記憶装置に保存すること；第２運動パターンが検出されると、記憶装置および／または外部記憶装置に保存された少なくとも１つの毛髪状態情報を削除すること；第３運動パターンが検出されると、毛髪状態情報を外部データ処理装置および／または外部記憶装置に送信すること；および第４運動パターンが検出されると、前記装置の表示装置および／または外部データ処理装置の表示装置に、毛髪状態情報に基づく情報を表示すること。
【０２２６】
例示的実施形態１９では、例示的実施形態１５または１８の保護対象は、場合により、前記方法は、髪色の検出を１回目に実行すること、および毛髪の損傷度合いの検出を２回目に実行すること、ここで、前記１回目および前記２回目は、所定の時間範囲内であることを示し得る。
【０２２７】
例示的実施形態２０では、例示的実施形態１７〜１９の保護対象は、場合により、運動パターンの検出は、検出された運動を電子回路装置によって、所定の運動パターンと比較すること、および回路装置によって前記運動を所定の運動パターンに割り当てることを含むことを示し得る。
【０２２８】
例示的実施形態２１では、例示的実施形態１７〜２０の保護対象は、場合により、前記方法は、複数のセンサーのうちの少なくとも１つのセンサーを較正媒体によって較正することをさらに含み、ここで、毛髪状態検出装置は、較正媒体を含み、複数のセンサーの少なくとも１つのセンサーは、較正媒体の反対側に配置され、複数のセンサーのうちの少なくとも１つのセンサーのセンサー主測定方向は、較正媒体に対して所定の角度で配置され、較正媒体は、セラミック材料を含むことを示し得る。
【０２２９】
例示的実施形態２２では、例示的実施形態２１の保護対象は、場合により、前記較正は、毛髪状態検出装置の第１領域および第２領域を、第１領域と第２領域とが所定の距離で互いに向き合うようにマージすること、ここで、第１領域に、第１センサーおよび第２センサー（が配置され、第２領域８Ｂに）較正媒体が配置されている、および、マージ中に複数のセンサーの少なくとも１つのセンサーの較正を実行することをさらに含むことを示し得る。
【０２３０】
例示的実施形態２３では、例示的実施形態１〜１６の保護対象は、場合により、少なくとも１つのセンサーは、ハイエンドマルチバンドセンサーまたはマルチスペクトルカラーセンサーを含むことを示し得る。
【０２３１】
例示的実施形態２４では、例示的実施形態１７〜２２の保護対象は、場合により、運動パターンは、毛髪状態検出装置のユーザーによる毛髪状態検出装置のシェイク運動を含むこと、および／または運動パターンは、毛髪状態検出装置のユーザーによる毛髪状態検出装置のスイング運動を含むことを示し得る。
【０２３２】
例示的実施形態２５では、例示的実施形態１〜１６の保護対象は、場合により、弾性接続材料がつや消しおよび/またはつや消しコーティング仕上げを有することを示し得る。
【０２３３】
例示的実施形態２６では、例示的実施形態１〜１６の保護対象は、高反射を可能にするために、キャリヤーの材料は、白色または白色の色合いであることを示し得る。
【０２３４】
例示的実施形態２７では、例示的実施形態１〜１６の保護対象は、場合により、加速度センサーによって運動が検出されない場合に、前記装置が電子回路装置によってスタンバイモードまたはスリープモードに設定されることを示し得る。
【０２３５】
例示的実施形態２８では、例示的実施形態１〜１６の保護対象は、加速度センサーによって運動が検出された場合に、前記装置が電子回路装置によって運転モードに設定されることを示し得る。
【０２３６】
例示的実施形態２９では、例示的実施形態１〜１６の保護対象は、場合により、第１領域および第２領域は、第１領域のセンサーおよび第２領域の較正媒体が、互いに向かい合うように、所定の距離までユーザーの筋力によってまとめられてもよい（brought together）ことを示し得る。
【０２３７】
例示的実施形態３０では、例示的実施形態１〜１６の保護対象は、場合により、前記装置が少なくとも１つの充電式電池または電源用の少なくとも１つの電池を含むことを示し得る。
【０２３８】
例示的実施形態３１では、例示的実施形態１〜１４の保護対象は、場合により、接続要素がばね鋼またはプラスチック材料を含むことを示し得る。
【０２３９】
例示的実施形態３２では、例示的実施形態１〜１６の保護対象は、場合により、第１領域および第２領域はそれぞれ囲い（enclosure）を含み、前記囲いは、電子部品を外側から囲い込む（enclose）および／または密封するように構成されることを示し得る。
【０２４０】
例示的実施形態３３は、システムを含み得、前記システムは、請求項１〜１６のいずれかに記載の装置を含み、さらにモバイルデータ処理装置を含む、ここで、前記モバイルデータ処理装置は、測定された毛髪状態情報に基づく少なくとも１項目の情報を表示するように構成される、および／または、前記システムは、外部データベースをさらに含み、ここで前記データベースは、少なくとも１つのセンサーによって検出された毛髪状態情報を保存するように構成される。
【図１】
2021505354.tif 000003
【図２】
2021505354.tif 000004
【図３ａ】
2021505354.tif 000005
【図３ｂ】
2021505354.tif 000006
【図３ｃ】
2021505354.tif 000007
【図４】
2021505354.tif 000008
【国際調査報告】
2021505354.tif 000009
2021505354.tif 000010
2021505354.tif 000011
2021505354.tif 000012
2021505354.tif 000013
2021505354.tif 000014